(57)【特許請求の範囲】
【請求項１】
少なくとも一つのレンズ（２）を有し、ユーザーによって着用されることが意図される眼鏡（１）であって、
前記眼鏡（１）は、
前記ユーザーの視野にデータを投影させる表示手段（７）と、
前記レンズ（２）を通過して前記ユーザーに向かうように意図される入射光の強度を減衰させることが可能な可変透過率を有する防眩スクリーン（８）と、を備え、
前記表示手段（７）及び前記防眩スクリーン（８）は、前記表示手段（７）によって放出された光線の一部が、前記データを表示するために、前記防眩スクリーン（８）に入射するように位置決めされ、
前記眼鏡（１）は、前記入射光の強度に応じて前記防眩スクリーン（８）の透過率を調節するように構成され、
前記防眩スクリーン（８）の透過率は、前記防眩スクリーン（８）が光を透過させる時間と前記防眩スクリーン（８）が光を透過させない時間との比率を変更することにより調節され、
前記表示手段（７）は、前記防眩スクリーン（８）が光を透過させる時に前記表示手段（７）がデータを表示し、かつ、前記防眩スクリーン（８）が光を透過させないときに前記データを表示しないように、前記防眩スクリーン（８）と連動することを特徴とする眼鏡。
【請求項２】
前記表示手段（７）と前記防眩スクリーン（８）との連動が、前記防眩スクリーン（８）の透過率（１４）に応じて表示される前記データの光強度（１６）を制御することを含み、
前記表示される前記データの光強度（１６）は、前記入射光の量に関わらず前記ユーザーが同様のデータ知覚を得るように、前記透過率（１４）に反比例して修正されることを特徴とする請求項１に記載の眼鏡。
【請求項３】
前記透過率は、パルス幅変調によって調節されることを特徴とする請求項１または２に記載の眼鏡。
【請求項４】
表示される前記データの光強度（１６）は、パルス幅変調によって調節されることを特徴とする請求項１から３のうちのいずれか一項に記載の眼鏡。
【請求項５】
表示される前記データの光強度（１６）及び前記透過率は、互いに同調する互いに同じデューティサイクルを用いたパルス幅変調により調節されることを特徴とする請求項１または２記載の眼鏡。
【請求項６】
前記パルス幅変調は、一定の周波数及び可変デューティサイクルを用いて実行されることを特徴とする請求項３から５のうちのいずれか一項に記載の眼鏡。
【請求項７】
前記眼鏡（１）は、前記パルス幅変調におけるデューティサイクルを制御する手段（９）を含むことを特徴とする請求項３から６のうちのいずれか一項に記載の眼鏡。
【請求項８】
前記防眩スクリーン（８）は、前記レンズ（２）によって保持されることを特徴とする請求項１から７のうちのいずれか一項に記載の眼鏡。
【請求項９】
前記防眩スクリーン（８）は、前記レンズ（２）の第二の側に設置され、前記入射光は、前記レンズを通り、前記レンズ（２）の前記第二の側から第一の側（６）に通過するように意図されることを特徴とする請求項１から８のうちのいずれか一項に記載の眼鏡。
【請求項１０】
前記防眩スクリーン（８）は、前記レンズ（２）上に設置されるマイクロ電子機械層を有することを特徴とする請求項１から９のうちのいずれか一項に記載の眼鏡。
【請求項１１】
前記マイクロ電子機械層は、光を遮断又は透過するために作動可能であることを特徴とする請求項１０に記載の眼鏡。
【請求項１２】
前記表示手段（７）は、前記レンズ（２）の内部反射によって光線を案内するように透過性基板を備えることを特徴とする請求項１から１１のうちのいずれか一項に記載の眼鏡。
【請求項１３】
前記表示手段（７）は、前記光線を前記レンズに放出可能である光源を備えることを特徴とする請求項１２に記載の眼鏡。
【請求項１４】
前記表示手段（７）は、画像生成装置を備えることを特徴とする請求項１から１０のうちのいずれか一項に記載の眼鏡。
【請求項１５】
特に夜間において、自動車（２０）の運転を支援する装置であって、請求項１から１４のうちのいずれか一項に記載の眼鏡（１）を備えることを特徴とする装置。
【発明の詳細な説明】
【技術分野】
【０００１】
本発明は、防眩スクリーンを有するデータ表示眼鏡に関する。
【背景技術】
【０００２】
データ通信及び情報通知の分野に関する技術を有する携帯型光学装置の分野において、着用するユーザーが見ることができるデータ又は情報を表示可能なデータ表示眼鏡が知られている。この情報は、ユーザーが通常であれば眼鏡を通して観察するであろう光景に対して、透過的に、又は非透過的に重ね合わせられる。
【０００３】
かかる表示装置は、ユーザーが自身の頭の向きを変える、又は下げることを必要とせずに、ユーザーの視野内において、テキスト、画像又は映像のような情報を見ることを可能にするオプトロニック装置である。従ってユーザーは、情報にアクセスしながらも、同時に動き回り、自身の周囲を観察することができる。
【０００４】
この情報は、眼鏡を通して見える物体及び場所に直接関連していても良い。画像は、例えば観察された光景に関連する光信号を加えることにより、双方向的に生成されても良い。また情報は、ユーザーの瞬間的な視覚と無関係であっても良く、例えばインターネット及び／又は電子メッセージへのアクセスを提供し、ユーザーが自由に動いたり行動したりすることが可能な視界を保ちながら、それを参照するようにしても良い。
【０００５】
様々な表示技術を有する眼鏡が存在する。
【０００６】
仏国特許出願公開第２９７６０８９号明細書（特許文献１）には、テンプルに設置された一つ又は二つのプロジェクタを含む眼鏡が記載されている。プロジェクタは眼鏡着用者の目の前に画像を投影するが、着用者はそれらを知覚するために、自身の目の前に媒体を必要とする。仏国特許出願公開第２９４１７８６号明細書（特許文献２）に記載されるように、眼鏡のレンズは、特に拡張現実機能を提供する眼鏡が想定される場合、媒体として用いることができる。
【０００７】
更に高性能な表示システムは、米国特許第７７５１１２２号明細書（特許文献３）に開示されるように、レンズ内に光を案内する面を有するレンズを使用して、画像を表示することを可能としており、ユーザーは、形成された画像を見ることができる。
【０００８】
しかしながら、現在のシステムにおける難点は、光度が高い場合の情報の視認性に関連する。具体的には、これらの条件下で、情報の強度が高い強度を持つ入射光と比較して十分高くない場合、情報のコントラストを見ることが困難又は不可能となる。その上、ユーザーが動く時、光度が規則正しく、かつ急速に変化する。
【０００９】
更には、サングラスレンズを有する眼鏡について、これらのレンズは、特に有色である場合に、情報の視認性を低下させる。その上、サングラスレンズは、全てのデータ表示技術に適合しない。
【先行技術文献】
【特許文献】
【００１０】
【特許文献１】仏国特許出願公開第２９７６０８９号明細書
【特許文献２】仏国特許出願公開第２９４１７８６号明細書
【特許文献３】米国特許第７７５１１２２号明細書
【発明の概要】
【００１１】
本発明の目的は、これらの欠点を改善することであり、いかなる状況で、どのような周辺光強度に対しても使用でき、適応できるデータ表示眼鏡を提供することである。
【００１２】
このために、少なくとも一つのレンズを有し、ユーザーによって着用されることが意図される眼鏡は、ユーザーの視野にデータを投影させる表示手段と、レンズを通過して前記ユーザーに向かうように意図される入射光の強度を減衰させる可変透過率を持つ防眩スクリーンとを備える。前記表示手段及び前記防眩スクリーンは、前記表示手段によって放出された光線の一部が、前記データを表示するために、前記防眩スクリーンに突き当たるように位置決めされる。前記眼鏡は、入射光の強度に応じて防眩スクリーンの透過率を適応させるように構成される。前記表示手段は更に、防眩スクリーンが光を透過させる時に、前記表示手段がデータを表示するように、防眩スクリーンに連結される。
【００１３】
従って、前記眼鏡は、全ての必要な機能を組み込む所定の媒体を使用して、高い光度においても、表示領域に表示されるデータが読み取られることを可能にする。更には、入射光の光度がいかなるものであれ、眼鏡は、眼鏡の着用者がいかなる状況においても、中程度の強度の光度を知覚するように、スクリーンの透過率を適応させる。
【００１４】
加えて、表示手段がデータを表示する時に、防眩スクリーンが光を透過させる際、表示領域に表示されるデータに起因して防眩スクリーンに向かう光は、防眩スクリーンを通過する。この特徴により、この光が防眩スクリーンから反射し、それ故に、データの正確な知覚や読み取り易さがゴーストに妨げられるのを、防ぐことができる。
【００１５】
防眩スクリーン及び／又は表示手段の透過率は、眼鏡に統合された、又は遠隔に置かれた制御手段を使用して、制御することも可能である。同様に、光度に関連する情報は、眼鏡に置かれた及び／又は遠隔に置かれたセンサから生じさせることも可能である。
【００１６】
本発明の種々の実施態様によれば、下記構成を一緒に又は個別に用いることが可能である。
−  連結は、防眩スクリーンの透過率に応じて表示されるデータの光強度を制御することによってなされ、表示されるデータの光強度は、入射光の量がいかなるものであれ、ユーザーが同様のデータ知覚を得るために、透過率に反比例して修正される。
−  透過率は、規定のデューティサイクルを用いたパルス幅変調によって決定される。
−  表示されるデータの光強度は、規定のデューティサイクルを用いたパルス幅変調によって決定される。
−  光強度及び透過率は、同調しており、かつ同じデューティサイクルを有する。
−  変調は、一定の周波数及び可変デューティサイクルを用いて実行される。
−  眼鏡は、１以上のデューティサイクルを制御する手段を含む。
−  防眩スクリーンは、レンズによって保持される。
−  防眩スクリーンは、レンズの第二の側に設置され、入射光は、レンズを通り、レンズの第二の側から第一の側に通過するように意図される。
−  前記防眩スクリーンは、レンズ上に設置されるマイクロ電子機械層を有する。
−  マイクロ電子機械層は、光を遮断又は透過するために作動可能である。
−  前記表示手段は、レンズの内部反射によって光線を案内するように透過性基板を含む。
−  データ表示手段は、前記光線をレンズに放出可能である光源を備える。
−  データ表示手段は、画像生成装置を備える。
【００１７】
本発明は、単に参照のために与えられるものであって限定の意図はなく、添付図面を伴う以下の記載に照らすことで、より良く理解されるであろう。
【図面の簡単な説明】
【００１８】
【図１】本発明によるデータ表示眼鏡の斜視図を概略的に例示する。
【図２】本発明による眼鏡の一実施態様の動作原理を概略的に例示する。
【図３】表示データの強度を示すグラフと比較した防眩スクリーンの光透過を示すグラフを示す。
【図４】眼鏡が使用される車両の部分断面図を概略的に例示する。
【発明を実施するための形態】
【００１９】
図１及び図２に例示されるように、本発明による眼鏡１は、二つのレンズ２と、二つのテンプル３と、レンズ２が固定されるフレーム４とを有する。本発明の記載において、用語「レンズ」は、フレーム内に固定される物体を指し、眼鏡着用者はそれを通して自身の目の前の光景を見る。レンズ２は、例えば無機又は有機ガラス材料から作製してよく、また当業者に知られている他の材料から作製してもよい。
【００２０】
眼鏡１の着用者は、レンズ２の第一の側に位置し、この着用者が観察する光景は、レンズ２の第二の側に位置する。従って、レンズ２に突き当たる入射光ｌｉは、第二の側から生じた後、レンズの外面を経由してレンズを通過し、内面を経由して眼鏡の着用者に向かって出る。
【００２１】
眼鏡１は、ユーザーの視野方向にデータを表示する手段７を含む。前記表示手段は、データが表示させる光線ｒｅを放出するように構成される。
【００２２】
前記データを含む画像は、好適には、前記データを表示するために十分なサイズを有するように、数メートル又は無限遠離れて設置された仮想媒体上に形成される。
【００２３】
データ表示手段７は、レンズを使用して前記光線を透過させるように構成される。表示手段７は、例えば、レンズ２に放出可能な光源（例として画像生成装置）と、レンズの内部反射によって光線ｒｅを案内する透過性基板とを含む。
【００２４】
眼鏡は、更に防眩スクリーン８を含む。前記表示手段７と前記防眩スクリーン８は、前記表示手段７によって放出される光線が、前記データを表示するために、前記防眩スクリーン８に突き当たるように、互いに対して位置決めされる。例えば、防眩スクリーン８は、レンズ２の第二の側、例えばレンズの外面（眼鏡に関してユーザーの反対側）に設置される。
【００２５】
眩しさを低減させるために、防眩スクリーン８は、入射光強度が減衰され得る可変透過率を備える。この透過率の値に応じて、防眩スクリーン８は、入射光をより多く又はより少なく通過させる。
【００２６】
透過率は、パルス幅変調によって決定される。変調は、一定の周波数で、好ましくは少なくとも１００Ｈｚで、スクリーンの透過率を規定するデューティサイクルを用いて実行される。
【００２７】
防眩スクリーン８は、それ故に
−  時間ｔ１の間、透明度が最大である、最大値と、
−  時間ｔ２の間、透明度が最小である、最小値と
の間で周期的に変動する光透過率を有する。
【００２８】
デューティサイクルαは、透過が最大である持続時間ｔ１と、期間の持続時間Ｔとの比によって決定され、それ故に０から１００％まで変動する。
α＝ｔ１／Ｔ
【００２９】
デューティサイクルを修正することによって、透明度が最大である時間ｔ１は、光が通過しない時間ｔ２に対して延長又は短縮される。従って、ｔ１を増加させるとデューティサイクルが増加し、ｔ２を増加させるとデューティサイクルが減少する。従って、透過率の平均値は、デューティサイクルαの値によって決まる。
【００３０】
眼鏡１の着用者の目の前の光景は、それ故に、デューティサイクルαに等しい僅かな時間でのみ見える。可変透過スクリーン８を通して見られる光度は、それ故に、実際の光度に対して（１−α）に等しい係数で減少する。
【００３１】
更に、前記眼鏡１は、入射光の強度に応じてスクリーン８の透過率を適応させるように構成される。従って眼鏡は、ユーザーにデータを表示することに加えて、ユーザーを高い光度から保護する。それ故に、ユーザーは、光度レベルが高くても表示されるデータを読み取れる。従って、データ表示眼鏡と防眩システムを組み合わせることで、前記眼鏡の着用者が居る目の前の光景の光レベル又は眩しさのレベルと無関係に、表示される情報に対して満足できるコントラストが保たれる。
【００３２】
このために、眼鏡１は、透過率を制御する手段９を含み、この手段９は、透過率の瞬間値又は平均値を制御する。例えば、所定のデューティサイクルを選択することによって、対応する透過率が規定される。
【００３３】
従って、デューティサイクルは可変であり、入射光の光強度に応じて選択される。入射光の光強度を測定するために、眼鏡１は、制御手段９に測定値を送出する光度センサ（図示せず）含むことも可能である。制御手段９は、この測定値に応じてデューティサイクルの値を設定する。
【００３４】
第一の実施態様において、防眩スクリーン８は、レンズ上に設置される垂直偏光層及び水平偏光層と、二つの偏光層の間に配置される液晶層とを有する。偏光層はそれぞれ、入射光を異なる方向に偏光する。液晶層内で、偏光の方向は、液晶によって修正される。液晶の配向は、光の偏光方向を決定する。従って液晶が、次の偏光層の方向と同じ方向に偏光を修正するように配向される場合、光が通過する。反対に、方向が異なる場合、光は眼鏡１の着用者まで透過しない。
【００３５】
変調は、光を透過させるために、時間ｔ１の間に次の偏光層の方向と同じ方向に液晶を配向し、その後、光を遮断するために、時間ｔ２の間にそれを異なる方向に配向することによって実行される。
【００３６】
第二の実施態様において、防眩スクリーン８は、レンズ２上に設置されたＭＥＭＳ型マイクロ電子機械層（ＭＥＭＳは、マイクロ電子機械システムを表す）を有する。この層は、入射光を遮断又は通過させる、電気的に作動可能なマイクロ電子素子からなる。マイクロ電子機械システムは、例えば文献米国特許第７６８４１０５号に記載されたタイプのものである。ここで変調は、マイクロ電子機械層の作動によって、時間ｔ１の間に入射光を通過させ、時間ｔ２の間に入射光を遮断することによって実行される。
【００３７】
図２において、入射光ｌｉが、最初に防眩スクリーン８を、次にレンズ２を通過して、ユーザーの眼１９に到達することがわかるであろう。防眩スクリーン８の透過率により、ユーザーの快適さのために入射光ｌｉの強度を低減することが可能となる。同時に、表示手段７は、光線ｒｅを投影し、光線は、最初にレンズ２に当たる。レンズ２上のデータの表示は、ユーザーに向かって光線ｒｕを放出し、ユーザーにデータを知覚させる。他の光線ｒｒは、防眩スクリーン８の方向に透過され、少なくとも部分的に反射されて、レンズ２を通してユーザーの眼１９に向かう。それ故に、データの第二画像は、レンズ２上に表示され易く、通常の画像に対してシフトされ易い。
【００３８】
この反射を防ぐために、防眩スクリーン８が光を透過させる時、すなわちデューティサイクルの時間ｔ１の間、表示手段７がデータを表示するように、表示手段７と防眩スクリーン８は連動している。従って、防眩スクリーン８が、デューティサイクルの時間ｔ２の間に光を透過させない時、表示手段７は、時間ｔ２の間に光を透過しない防眩スクリーン８からの反射を制限するために、データを表示しない。
【００３９】
一つの特殊な実施態様によれば、表示されるデータの光強度は、可変デューティサイクル及び一定の周波数を用いたパルス幅変調によって同様に設定される。データは、時間ｔ１の間にのみ所定の基準強度で現れ、表示手段７は、時間ｔ２の間には表示領域１１内でデータを表示しない。データの強度は、比率αを変動させることによって制御され、それにより一定周期持続時間Ｔに対して表示時間ｔ１を増減させる。この場合、制御手段９は、データの光強度のデューティサイクルも制御する。
【００４０】
データの光強度と透過率を相関させるため、光強度と透過率は、同一の比率αに同調している。従って、防眩スクリーン８が光を通過させる時にデータが表示され、防眩スクリーン８が不透明である場合はデータは表示されない。しかしながら、基準強度は、比率αがいかなるものであれ、知覚される強度を同程度に保つようにしてもよい。従って、光度が低いために時間ｔ１が増加する場合、基準強度は比例的に減少する。全く同じように、光度が高いために時間ｔ１が減少する場合、基準強度は比例的に増加する。
【００４１】
変形例として、表示データに起因し、眼鏡１の着用者の眼に到達する光の量を一定に保つために、表示手段７の表示強度を防眩スクリーン８の透過率の値と相関させることも可能である。このために、二つのグラフ１５、１７を重ね合わせた図３に示すように、入射光の量によらず、ユーザーが同様なデータ知覚を得ることを目的として、表示データの光強度１６は透過率１４に反比例して修正される。グラフ１５において、透過率１４は、時間ｔ内で０〜１の間で変動する。グラフ１７において、光強度１６は、時間ｔ内で最小値Ｉｍｉｎ及び最大値Ｉｍａｘの間で変動する。防眩スクリーンの透過が増加する時、データの光強度は反対に、比例的に減少する。
【００４２】
換言すると、眼鏡は、眼鏡の着用者の眼がくらまされないように、スクリーンの透過率が、入射光の強度に応じて適応されること、及び状況がいかなるものであれ、これらのデータが同様な方法で知覚可能であるために、表示領域内に表示されるデータの光強度がスクリーンの透過率に応じて適応されることを同時に可能にする。
【００４３】
下記の特定の用途において、眼鏡１は、自動車２０の運転を支援する装置として使用される。この用途は例として記載されるが、本発明の眼鏡１の用途はこの例に限定されない。
【００４４】
図４は、本発明による眼鏡２１を使用した、運転を支援する本装置を示すが、この用途は、限定的であると考えられるべきでない。
【００４５】
晴れた日、特に地平線上方の太陽Ｓの高度が低い一日の終わりに、車両２０の前方の道路光景ＳＲは、明るく照らされることがわかるであろう。このため運転者２４は、眼が眩むだけでなく、この道路光景において、自身の安全にとって重要な細部（例えば付近の危険源を警告する道路標識、又は運転者が運転している場所の路面の状態）を識別できないという危険性がある。同じことは夜間の運転に関しても言え、運転者は他の車両の光によって眼が眩むことがある。
【００４６】
ここで眼鏡２１は、いかなる形の眩しさ、又は入射光強度の実質的な変動からも、眼鏡２１を着用している運転者又は乗員を保護する役割を果たす。しかしながら、運転者２４は、運転関連情報（例えば、従来ダッシュボード上に表示され、透過率の平均値が低い場合に利用できないような情報）を例えば視覚的に利用可能であるべきである。本発明により、この情報は眼鏡２１に直接表示され、その際の光強度は、眼鏡２１の着用者が情報を見えるように決定される。
【００４７】
それ故に本発明は、この用途において、運転者に情報を提示しつつも、運転者の眼１９に到達する光の量を変調するために、運転者２４が適応性眼鏡２１を有することを提供する。図面は明瞭化のため、単一の眼鏡レンズを示す。
【００４８】
更に、本装置は、ここでは眼鏡２１から遠隔に置かれる、透過率を制御する手段３０を含む。前記制御手段３０は、例えば車両２０の車室内に配置され、眼鏡２１に制御命令を通信する。
【００４９】
眼鏡レンズ２１の透過率を制御するために、本発明は、車両の前方の道路光景ＳＲの光度を測定するために使用する感光センサ３１を設ける。
【００５０】
感光センサ３１は、ここでは例えば車両２０のフロントガラス２６の内面に、車内バックミラー（図示せず）と同じ高さで、すなわちフロントガラス２６の上部の中央に置かれる。この位置により、情報（特に、道路光景ＳＲから発せられ、車両２０外側の光度を表す情報）を集めることが可能となる。
【００５１】
この感光センサ３１から出力された信号ＳＬは、この出力信号ＳＬを眼鏡レンズ２１の透過率を制御する信号ＳＣに変換可能である回路３３によって受信及び処理され、信号ＳＣは、次には眼鏡レンズ２１の透過率を制御する手段３０によって受信される。
【００５２】
制御手段３０は、眼鏡レンズ２１の透過率を制御する回路３４を制御する。回路３４自体は、例えば超音波、赤外線波又は電波のエミッタ３８を含み、例えばＢｌｕｅｔｏｏｔｈ（登録商標）又はＷｉ−Ｆｉ（登録商標）規格を満たす無線通信プロトコルを実装する。眼鏡２１は、同じ遠隔制御波ＲＣＷのレシーバ４０が備えられる。
【００５３】
具体的には、車両２０の前方の道路光景ＳＲの光度を表す、感光センサ３１によって出力された信号ＳＬに応答して、回路３３は、信号ＳＬに応じた制御信号ＳＣを生成する。制御信号ＳＣは、次に制御回路３４のエミッタ３８によってＲＣＷ波及びレシーバ４０を経由して眼鏡２１へ伝達される。
【００５４】
眼鏡レンズ２１の透過率は、従って受信された信号ＳＣに応じて、すなわちセンサ３１によって測定された光度に応じて変調される。
【００５５】
装置はまた、表示データを生成する手段３６を含む。この手段３６もまた、眼鏡２１から離れて、車室内に置くことが可能である。前記生成手段３６は、前記データを眼鏡２１に通信する。
【００５６】
データを生成する手段３６と眼鏡２１の間の通信は、同様に無線通信を経由して実行される。この無線通信は、例えば制御手段３０及び眼鏡２１によって（任意には、同じエミッタ３８及び／又は同じレシーバ４０によって）用いられるものと同じプロトコルで実装される。
【００５７】
従って、生成手段３６は、制御手段３０によって規定された透過率に応じて決定された、所定の強度命令によってデータを伝達する。
【図１】
0006466421.tif 000002
【図２】
0006466421.tif 000003
【図３】
0006466421.tif 000004
【図４】
0006466421.tif 000005